(57)【要約】  【課題】  ハウジングの一面に外部から視認可能に設けた表示部において多様な設置形態に対応する表示要求に応えることができる電気機器を提供する。  【解決手段】  内部機器を収容するハウジングの背面11の内側に表示板２をスライド自在に保持し、この表示板２の背面11との対向面に、同一の内容を互いに異なる形態にて表示する表示パターン2a，2bを複数組並設し、これらの表示パターン2a，2bが、表示板２のスライド位置の変更に応じて背面11の開設された窓孔13，13…から選択的に見通せるように構成する。【選択図】      図３
2006222300.tif 000002
【特許請求の範囲】
【請求項１】
内部機器を収容するハウジングの一面に、外部からの視認が可能に表示パターンが形成された表示部を備える電気機器において、
前記表示部は、
前記一面の内側に沿ってスライド自在に保持されており、同一の内容を互いに異なる形態にて表示する複数の表示パターンが、前記一面との対向面に形成してある表示板と、
該表示板のスライド位置に応じて前記複数の表示パターンの一つを選択的に見通すべく前記一面に開設された窓孔と
を備えることを特徴とする電気機器。
【請求項２】
前記表示板は、前記一面の内側に形成された凹所内に保持されている請求項１記載の電気機器。
【請求項３】
前記表示パターンは３個以上である請求項１又は請求項２記載の電気機器。
【請求項４】
前記表示板は、前記複数の表示パターンを複数組備える請求項１乃至請求項３のいずれか１つに記載の電気機器。
【請求項５】
前記複数の表示パターンは、天地を逆とした文字パターン又は図形パターンを含む請求項１乃至請求項４のいずれか１つに記載の電気機器。
【請求項６】
前記複数の表示パターンは、異なる言語にて表記された文字パターンを含む請求項１乃至請求項５のいずれか１つに記載の記載の電気機器。
【請求項７】
前記表示板を所定のスライド経路に沿って案内する案内手段を備える請求項１乃至請求項６のいずれか１つに記載の電気機器。
【請求項８】
前記表示板を前記スライド経路上の所定位置に位置決めする位置決め手段を備える請求項１乃至請求項７のいずれか１つに記載の電気機器。
【請求項９】
前記位置決め手段は、前記案内手段の一部によって兼用させてある請求項８記載の電気機器。
【請求項１０】
前記表示板は、前記ハウジングの一面との対向面に、前記一面に形成された挿通孔を経て前記ハウジングの外部へ突出する操作つまみを備える請求項１乃至請求項９のいずれか１つに記載の電気機器。
【請求項１１】
前記操作つまみ及び挿通孔は、前記案内手段を兼ねる請求項１０記載の電気機器。
【請求項１２】
前記操作つまみ及び挿通孔は、前記位置決め手段を兼ねる請求項１０又は請求項１１記載の電気機器。
【請求項１３】
前記表示板のスライド方向の一側に連設してあり、前記ハウジングの他面を貫通して外部へ突出する押し杆と、
前記ハウジングに設けられたばね座と前記押し杆又は表示板の一部との間に介装され、前記押し杆を突出方向に付勢する付勢ばねとを備える請求項１乃至請求項９のいずれか１つに記載の電気機器。
【発明の詳細な説明】
【技術分野】
【０００１】
本発明は、ハウジングの一面に、外部からの視認が可能に各種表示のための表示部を備える電気機器に関する。
【背景技術】
【０００２】
プロジェクタ、パーソナルコンピュータ等、ハウジングの内部に各種の機器を収容してなる電気機器の多くは、前記ハウジングの一面に、内部機器に対する外部からの接続のために設けられた接続端子を備えており、これらの接続端子の夫々には、例えば、名称、用途等を表示するための表示部が付設されている。この表示部は、一般的には、文字パターン、図形パターン等の表示パターンを、印刷、刻印等の適宜の手段により前記ハウジングの一面の対応位置に形成してなる。
【０００３】
ところで、このような電気機器においては、複数通りの使用形態が想定されるものがあり、この種の電気機器に設けられる表示部においては、使用形態に応じた複数通りの表示がなされるのが望ましい。例えば、前記プロジェクタにおいては、机上に載置しての使用と天井面から吊支しての使用との２通りの使用形態が想定されることから、机上載置の使用形態においては、上方から見下ろした場合の視認に適した表示がなされ、また天井吊支の使用形態においては、下方から見上げた場合の視認に適した表示がなされる表示部を備えることが要望されている。
【０００４】
このような要望に応えるべく、ハウジングの一面に上向きの斜面と下向きの斜面とを設け、これらの斜面の夫々に表示パターンを形成してなる表示部を備えるプロジェクタが提案されている（例えば、特許文献１参照）。このプロジェクタによれば、机上載置の場合には、上向きの斜面に形成された表示パターンを視認させ、また天井吊支の場合には、下向きの斜面に形成された表示パターンを視認させることにより、使用形態に適した表示が可能とされている。
【特許文献１】特開２００２−９９０４３号公報
【発明の開示】
【発明が解決しようとする課題】
【０００５】
ところが、特許文献１に開示された構成においては、表示パターンが形成される上向きの斜面と下向きの斜面とが、前記ハウジングの一面内にて大面積を占めるため、夫々に対応させる接続端子の配設位置が制約され、内部機器の配置を含めた設計自由度の低下を招来するという問題がある。
【０００６】
またプロジェクタは、天井吊支の使用形態において、机上設置の場合と天地を逆転させて用いられるのが一般的であり、この場合、特許文献１に開示された構成では、使用形態の如何に拘らず一方の斜面に形成された表示パターンが視認されることとなり、他方の斜面に形成された表示パターンが、視認されることのない無意味な表示となる上、天井吊支の場合には、机上設置の場合の表示パターンが天地を逆にして視認されることとなり、適正な表示がなされないという難点がある。
【０００７】
更に特許文献１に開示された構成においては、上向き及び下向きの斜面に夫々形成された表示パターンによる２種類の表示に限定されるという問題があり、例えば、異なる言語での表示、縦置き、横置きの使用形態での表示を含めた多種類の表示に対応し得ないという問題がある。なお以上の問題は、プロジェクタに限らず、前記パーソナルコンピュータを含めた電気機器全般に発生する問題である。
【０００８】
本発明は斯かる事情に鑑みてなされたものであり、スライド自在に保持された表示板に形成した複数の表示パターンの一つが、ハウジングに開設された窓孔から選択的に見通される構成とすることにより、多様な設置形態に対応する表示要求に応えることができる電気機器を提供することを目的とする。
【０００９】
本発明の他の目的は、ハウジングの一面の内側に形成された凹所内にて表示板をスライドさせることにより、ハウジングの内部への表示板の干渉を防止してコンパクトに構成し得る電気機器を提供することにある。
【００１０】
本発明の他の目的は、表示板に３つ以上の表示パターンを形成することにより、３通り以上の表示変更に対応し得る電気機器を提供することにある。
【００１１】
本発明の他の目的は、表示板に複数の表示パターンを複数組形成することにより、複数か所の表示を一括して変更可能な電気機器を提供することにある。
【００１２】
本発明の他の目的は、天地を逆とした表示、異なる言語での表示を含めた多種の表示要求に応え得る電気機器を提供することにある。
【００１３】
本発明の他の目的は、表示板の案内手段又は位置決め手段を設けることにより、表示の変更、及び変更後の表示の維持を、容易に、しかも確実に行わせることができ、更に、案内手段と位置決め手段との兼用により、構成を簡素化することができる電気機器を提供することにある。
【００１４】
本発明の他の目的は、ハウジングの一面の挿通孔を経て突出する操作つまみの操作により、ハウジングの外部からの表示の変更を簡易に行わせ得る電気機器を提供することにある。
【００１５】
本発明の他の目的は、操作つまみ及びこれの挿通孔が、表示板の案内手段及び位置決め手段の一方又は両方を兼ねることにより、構成の簡素化を図り得る電気機器を提供することにある。
【００１６】
本発明の他の目的は、表示板に連設され、ばねにより付勢されてハウジングの他面に突出する押し杆を設け、この押し杆への作用力により表示板をスライド移動させることにより、使用形態に応じた表示の自動変更を可能とする電気機器を提供することにある。
【課題を解決するための手段】
【００１７】
本発明に係る電気機器は、内部機器を収容するハウジングの一面に、外部からの視認が可能に表示パターンが形成された表示部を備える電気機器において、前記表示部は、前記一面の内側に沿ってスライド自在に保持されており、同一の内容を互いに異なる形態にて表示する複数の表示パターンが、前記一面との対向面に形成してある表示板と、該表示板のスライド位置に応じて前記複数の表示パターンの一つを選択的に見通すべく前記一面に開設された窓孔とを備えることを特徴とする。
【００１８】
本発明においては、ハウジングの一面内側に沿ってスライド移動させることにより、この表示板に形成された複数の表示パターンの一つが前記一面に開設された窓孔に一致して外部から見通すことができ、この表示パターンによる表示がなされる。
【００１９】
また本発明に係る電気機器は、前記表示板が、前記一面の内側に形成された凹所内に保持されていることを特徴とする。
【００２０】
この発明においては、ハウジングの一面内側に形成された凹所内にて表示板がスライド移動し、内部機器との最小限の干渉により表示の変更がなされる。
【００２１】
また本発明に係る電気機器は、前記表示パターンが３個以上であることを特徴とする。      
【００２２】
この発明においては、表示板のスライドにより、ハウジングの一面に開設された窓孔に３個以上の表示パターンのいずれかが一致し、夫々に対応する３通り以上の表示変更がなされる。
【００２３】
また本発明に係る電気機器は、前記表示板が、前記複数の表示パターンを複数組備えることを特徴とする。
【００２４】
この発明においては、表示板のスライドにより、複数組の表示パターンがハウジングの一面に開設された複数の窓孔に一致し、夫々の窓孔に対応する位置での複数か所の表示が一括して変更される。
【００２５】
また本発明に係る電気機器は、前記複数の表示パターンが、天地を逆とした文字パターン又は図形パターンを含むことを特徴とし、更に前記複数の表示パターンが、異なる言語にて表記された文字パターンを含むことを特徴とする。
【００２６】
この発明においては、表示板のスライドにより、天地を逆とした文字パターン又は図形パターン、異なる言語の文字パターン等の種々の形態の表示パターンを窓孔から見通させて、多種の形態の表示変更に対応する。
【００２７】
また本発明に係る電気機器は、前記表示板を所定のスライド経路に沿って案内する案内手段を備えることを特徴とし、また、前記表示板を前記スライド経路上の所定位置に位置決めする位置決め手段を備えることを特徴とし、更に、前記位置決め手段が、前記案内手段の一部によって兼用させてあることを特徴とする。
【００２８】
この発明においては、案内手段により表示板のスライド移動を案内して、表示の変更を容易に行わせ、またスライド移動させたスライド板を位置決め手段により位置決めして、変更後の表示状態を確実に維持し、更に、案内手段の一部を位置決め手段として兼用して構成の簡素化を図る。
【００２９】
また本発明に係る電気機器は、前記表示板が、前記ハウジングの一面との対向面に、前記一面に形成された挿通孔を経て前記ハウジングの外部へ突出する操作つまみを備えることを特徴とし、また前記操作つまみ及び挿通孔が、前記案内手段を兼ねることを特徴とし、更に、前記操作つまみ及び挿通孔が、前記位置決め手段を兼ねることを特徴とする。
【００３０】
この発明においては、挿通孔から突出する操作つまみをハウジングの外部から操作し、表示板をスライド移動させることにより表示の変更がなされ、また操作つまみ及び挿通孔により、案内手段及び／又は位置決め手段を兼用させて構成の簡素化を図る。
【００３１】
更に本発明に係る電気機器は、前記表示板のスライド方向の一側に連設してあり、前記ハウジングの他面を貫通して外部へ突出する押し杆と、前記ハウジングに設けられたばね座と前記押し杆又は表示板の一部との間に介装され、前記押し杆を突出方向に付勢する付勢ばねとを備えることを特徴とする。
【００３２】
この発明においては、ハウジングの他面に突出する押し杆への作用力により、付勢ばねの付勢に抗して表示板がスライド移動して表示の変更がなされ、例えば、前記他面を下として載置された使用形態において、載置面からの前記押し杆への作用力により表示の変更がなされる。
【発明の効果】
【００３３】
本発明に係る電気機器においては、ハウジングの一面に設けられる表示部が、前記一面に形成された窓孔と、該一面の内側に沿ってスライド移動する表示板とを備え、表示板のスライド位置に応じて該表示板に形成された複数の表示パターンの１つが窓孔を経て外部から見通せる構成としたから、表示パターンの数に応じた表示の変更が可能となり、多様な表示要求に応えることができる。
【００３４】
またハウジングの一面の内側に表示板を保持する凹所を設け、この凹所内にて表示板をスライド移動させる構成としたから、表示変更のための表示板の移動を内部機器との最小限の干渉下にて行わせることができる。
【００３５】
また表示板に３個以上の表示パターンを形成したから、３通り以上の表示変更が可能となり、多様な表示要求に応えることができる。
【００３６】
また複数の表示パターンを表示板に複数組形成したから、複数か所の表示を一括して変更することができ、使い勝手の向上を図ることができる。
【００３７】
また表示板に形成される複数の表示パターンが、天地を逆とした文字又は図形パターンを含むようにしたから、天地を逆とした使用形態に適した表示変更が可能となり、同じく異なる言語表記がなされた文字パターンを含むようにしたから、表示板のスライドによる簡易な表示変更により異なる言語域への出荷に対応させることができる。
【００３８】
また表示板をスライド案内する案内手段を備えたから、表示変更のための表示板のスライド移動を、容易に、しかも確実に行わせることができ、また表示板を所定のスライド位置にて位置決めする位置決め手段を備えたから、表示変更のための表示板のスライド移動を確実に行わせると共に、変更後の表示状態を確実に維持することができ、使い勝手の向上を図ることが可能となり、更に、案内手段の一部を位置決め手段として兼用したから、簡素な構成にて目的を達成することができる。
【００３９】
また表示板に設けた操作つまみをハウジングの一面に形成された挿通孔を経て外部に突設させてあるから、ハウジングの外側からの操作つまみの操作により表示を変更することができ、ユーザにより選択される使用形態に応じた表示変更を行わせることができ、更に前記操作つまみ及び挿通孔が、案内手段及び位置決め手段の一方又は両方を兼ねる構成としたから、構成の簡素化を図ることができる。
【００４０】
更には、表示板に連設された押し杆を付勢ばねの付勢によりハウジングの外部に突出させたから、ハウジングの外部から押し杆に加わる力と付勢ばねのばね力との相乗作用により表示板がスライド移動し、機器の設置面に押し杆の突出端が当接する使用形態と、それ以外の使用形態との間での形態変更により、何らの操作も要さずに表示の変更がなされ、夫々に適した表示を実現することが可能となる等、本発明は優れた効果を奏する。
【発明を実施するための最良の形態】
【００４１】
以下本発明をその実施の形態を示す図面に基づいて詳述する。図１は、本発明に係る電気機器としてのプロジェクタの正面側からの外観斜視図であり、図２は、同じく背面側からの外観斜視図である。
【００４２】
図示の如くプロジェクタは、矩形箱形をなすハウジング１を備えている。このハウジング１は、上ハウジング1aと下ハウジング1bとを上下に分割可能に組み合わせて構成されており、その内部には、液晶表示パネル等の空間光変調素子、該空間光変調素子の一面に光を照射する投光ランプ、及び前記画像表示の他面への透過光をハウジング１の外部に投写する投写レンズを備える公知の画像投写ユニットが収容されている。なお図１には、以上の如き画像投写ユニットの構成部品のうち、ハウジング１の正面一側に突出する投写レンズ10の先端部のみが示されている。
【００４３】
このようなハウジング１を備えるプロジェクタは、図１及び図２に示す如く、下ハウジング1bを底として、例えば、机上に載置して用いられる使用形態（以下、正形態という）と、この正形態から天地を逆とし、例えば、天井面から吊支して用いられる使用形態（以下、逆形態という）との２形態での使用が可能に構成されている。
【００４４】
図２に示す如くハウジング１の背面11には、該ハウジング１の内部機器を外部接続するために使用される複数（図においては４つ）の接続端子12，12…が、前記正形態での上半部に幅方向に適宜の間隔を隔てて並設されている。これらの接続端子12，12…の下位置には、夫々に対応する窓孔13，13…が開設されており、これらの窓孔13，13…の内部に、対応する接続端子12，12…の名称、用途等の必要な表示がなされる表示部が、後述の如く設けてある。
【００４５】
またハウジング１の背面11には、前記接続端子12，12…及び窓孔13，13…の並設域の一側に、幅方向に長い矩形形状を有して挿通孔14が開設されており、この挿通孔14からは、後述する表示板２の一面に突設された操作つまみ20が突出させてある。
【００４６】
ハウジング１の背面11は、下ハウジング1bと一体に成形してあり、前述した表示のための表示部は、前記背面11に開設された窓孔13，13…と、前記背面11の内側に、以下の如く取付けられる表示板２とを備えて構成されている。図３は、表示板２の取付け状態を示す下ハウジング1bの背面側からの斜視図、図４は、同じく正面側からの斜視図である。
【００４７】
図３に示す如く表示板２は、取付け面となる背面11の幅方向に長い矩形平板であり、背面11との対向面の上半部には、長手方向に並設された各２つの表示パターン2a，2bが、長手方向に所定の間隔を隔てて複数組（図においては４組）形成されている。また表示板２の下半部には、長手方向両側に振り分けて配置された２つのガイド孔21，21が、表示パターン2a，2bの並設間隔に対応する長さを有して形成されており、これらのガイド孔21，21の間には、上下の抜き孔の間に残された細幅の位置決めバー22が、適宜の長さに亘って一体形成されている。
【００４８】
以上の如き位置決めバー22は、上下方向に撓み変形が可能であり、変形量が最大となる長手方向の中央部には、上向きに凸となる位置決め突起23が設けてある。更に、ガイド孔21，21及び位置決めバー22の並設域の一側には、前記操作つまみ20が突設されている。
【００４９】
このような表示板２の取付け面となるハウジング１の背面11には、該背面11の幅方向に並べて前記窓孔13，13…が開設されており、これらの窓孔13，13…の上位置には、前記接続端子12，12…を突出させるべく、夫々に対応する形状を有する端子孔15，15…が開設されている。またこれらの並設域の一側には、前記操作つまみ20の挿通孔14が開設されている。
【００５０】
また背面11の内側には、図４に示す如く、前記窓孔13，13…及び挿通孔14の開設位置を含み、表示板２の受入れが可能な幅及び高さを有する凹所16が設けてあり、この凹所16の内部には、前記窓孔13，13…の下位置に長手方向両側に振り分けて円形断面を有するガイド突起17，17が突設されている。またこれらのガイド突起17，17の間には、所定の長さを有する位置決め片18が突設されており、該位置決め片18の両端には、下向きに凹となる凹部19，19が設けられている。
【００５１】
表示板２の取付けは、図４中に矢符により示す如く、ガイド孔21，21の夫々を前記背面11に突設されたガイド突起17，17に嵌め込み、これらのガイド突起17，17の先端に開口するねじ孔に止めねじ24，24を螺合させ、表示板２を抜け出し不可に拘束して実現される。このとき、ガイド突起17，17の間に位置する位置決め片18は、図４中に矢符により示す如く、前記位置決めバー22の上部の抜き孔に挿通される。またこのとき、表示板２に突設された操作つまみ20は、図３中に矢符により示す如く、前記背面11に開設された挿通孔14に挿通され、図２に示す如く、ハウジング１の外側に突設された状態となる。
【００５２】
このように取付けられた表示板２は、ガイド孔21，21及びこれらに嵌合するガイド突起17，17を案内手段とし、背面11の内側の凹所16内において、前記ガイド孔21，21の長さ範囲内にてスライド移動させることができる。また位置決めバー22の位置決め突起23は、表示板２が以上の如きスライド域の両端にあるとき、前記位置決め片18の両端の凹部19，19に係合し、表示板２をスライド域の両端に位置決めする位置決め手段として作用する。
【００５３】
なお位置決めバー22は、上下に撓み変形可能であり、表示板２にスライド移動力が加えられた場合、この作用力により撓み変形して凹部19から抜け出すことができ、表示板２のスライド移動が阻害されることはない。また表示板２のスライド移動力は、挿通孔14を経て突出する操作つまみ20の操作によりハウジング１の外部から付加することができる。
【００５４】
以上の如くスライド移動せしめられる表示板２には、ハウジング１の背面11との対向面に並ぶ表示パターン2a，2bが４組形成されている。これら４組の表示パターン2a，2bの形成位置は、背面11に開設された窓孔13，13…の高さ位置に合わせてあり、各組の表示パターン2a，2bの並設間隔は、表示板２をスライド案内するガイド孔21，21の長さに対応している。
【００５５】
これにより、表示板２が前記ガイド孔21，21により規定されるスライド域の両端にあるとき、窓孔13，13…の内側に各組の一方の表示パターン2a又は2bが位置することとなり、各窓孔13，13…から夫々の内側に位置する表示パターン2a又は2bを選択的に見通すことができる。図３の状態においては、図中に矢符により示す如く、各窓孔13，13…から対応する組の表示パターン2a，2a…が見通されており、この状態から表示板２は、図の左方にスライド移動させることができ、この移動により各窓孔13，13…からは他方の表示パターン2b，2b…の見通しが可能となる。従って、ハウジング１の外側から表示パターン2a，2a…が視認される表示形態と、同じく表示パターン2b，2b…が視認される表示形態との間にて表示を変更することができる。
【００５６】
ここで表示板２は、ガイド孔21，21及びガイド突起17、17を備える案内手段の作用により確実にスライド移動させることができ、また位置決め突起23及び位置決め片18を備える位置決め手段の作用により、スライド域の両端において確実に位置決めされるから、表示板２のスライド移動による表示変更は、簡易にしかも確実に実施され、変更後の表示が確実に維持される。
【００５７】
また以上の如き表示板２のスライド移動は、背面11の内側に形成された凹所16内にて生じるから、表示変更のための表示板２のスライド移動を、例えば、ハウジング１に収容されている種々の内部機器及び内部配線に対する干渉の虞れを最小限に抑えて行わせることができる。
【００５８】
図５は、表示板２の正面図であり、表示パターン2a，2bの形成例が示されている。本図に示す表示パターン2a，2bは、同一の文字パターンを天地を逆にして形成されている。
【００５９】
図６及び図７は、図５に示す表示板を備えるプロジェクタの使用状態を示す背面図である。図６は、前述した正形態での使用状態を示しており、プロジェクタは、下ハウジング1bの底面の４隅に突設された脚座1c，1c…（２つのみ図示）により、机上面Ａに載置されている。一方図７は、前述した逆形態での使用状態を示しており、プロジェクタは、下ハウジング1bの底面中央に取り付けた支持脚1dにより天井面Ｂから吊支されている。
【００６０】
以上の如き正形態及び逆形態での使用に際し、操作つまみ20の操作により表示板２をスライド移動させ、図６においては、窓孔13，13…から表示パターン2a，2a…が見通されるような表示とし、また図７においては、窓孔13，13…から表示パターン2b，2b…が見通されるような表示とする。このような表示変更により、いずれの場合においても正しい文字パターンをユーザに視認させることが可能となる。
【００６１】
なお以上の実施の形態においては、スライド板２が横方向（ハウジング１の幅方向）にスライド移動する構成としてあるが、この移動の方向は、縦方向（ハウジング１の高さ方向）、縦，横両方向等、適宜の方向とすることが可能である。
【００６２】
図８は、本発明の第２の実施の形態における表示板の取付け状態を示す斜視図である。本図は、前記図４と同様、下ハウジング1bの正面側から見た斜視図であり、対応する構成部材には、図４と同一の参照符号を付してあり、以下の説明は、第１の実施の形態と異なる部分について行う。
【００６３】
表示板２は、取付け面となる背面11の幅方向に長い矩形平板であり、前記背面11との対向面には、図中に破線により示す如く、長手方向と直交する方向に並設された各２つの表示パターン2a，2bが、長手方向に所定の間隔を隔てて複数組（図においては４組）形成されている。また表示板２の長手方向の両端部近傍には、表示パターン2a，2bの並設方向に長い長孔形状をなすガイド孔21，21が形成されている。
【００６４】
一方、下ハウジング1bと一体に成形されたハウジング１の背面11には、複数の窓孔13，13…が開設されている。前記背面11の内側には、窓孔13，13…の開設域を含み、表示板２の受け入れが可能な可能な凹所16が設けてあり、この凹所16には、長手方向両端部近傍にガイド突起17，17が突設されている。
【００６５】
表示板２の取付けは、図８中に矢符により示す如く、ガイド孔21，21の夫々をガイド突起17，17に嵌め込み、これらのガイド突起17，17の先端に開口するねじ孔に止めねじ24，24を螺合させてなされている。このように取付けられた表示板２は、ガイド孔21，21及びこれらに嵌合するガイド突起17，17を案内手段とし、背面11の内側の凹所16内において、前記ガイド孔21，21の長さ方向、即ち、縦方向にスライド移動可能である。
【００６６】
この実施の形態においては、表示板２の側の操作つまみ20及び位置決めバー22、並びにハウジング１側の挿通孔14及び位置決め片18は設けられておらず、ガイド孔21，21とガイド突起17，17との嵌め合わせを隙間嵌めとし、表示板２のスライド移動は、該表示板２の自重の作用により生じるようになしてある。また移動後の表示板２の位置決めは、ガイド孔21，21の端部とガイド突起17，17との当接により実現される。
【００６７】
図９は、第２の実施の形態において用いられる表示板２の正面図であり、表示板２の長手方向に直交する方向に並ぶ表示パターン2a，2bは、同一の文字パターンを天地を逆にして形成されている。図10は、第２実施の形態において得られる表示の内容を示す説明図であり、ハウジング１の背面11に並設された接続端子12，12…と、これら夫々に対応する窓孔13，13…が示されている。
【００６８】
図10（ａ）は、前述した正形態での使用状態を示している。このとき窓孔13，13…は、接続端子12，12…の下に位置しており、自重によりスライド移動する表示板２は、各窓孔13，13…内側の凹所16において前記接続端子12，12…から離れて位置し、各窓孔13，13…からは、各組の一方の表示パターン2a，2a…が見通される。一方図10（ｂ）は前述した逆形態での使用状態を示している。このとき窓孔13，13…は、接続端子12，12…の上に位置しており、自重によりスライド移動する表示板２は、各窓孔13，13…内側の凹所16において前記接続端子12，12…に近付いて位置し、各窓孔13，13…からは、各組の他方の表示パターン2b，2b…が見通される。
【００６９】
以上の如き表示板２の移動により、正、逆のいずれの使用形態においても正しい文字パターンをユーザに視認させることが可能となる。更に、使用形態の変更に応じて表示板２が自重によりスライド移動して表示の変更がなされるから、何らの操作も要することなく適正な表示が実現される。なおこの第２の実施の形態においても、操作つまみ及び位置決め手段を設け、外部からの操作により表示の変更を行わせ得るように構成してもよいことは言うまでもない。
【００７０】
図11は、本発明の第３の実施の形態における表示板の取付け状態を示す斜視図である。本図は、前記図８と同様、下ハウジング1bの正面側から見た斜視図である。この実施の形態において、下ハウジング1bの背面11に対する表示板２の支持構造は、図８に示す第２の実施の形態と同様であり、対応する構成部材に図８と同一の参照符号を付して説明を省略し、以下の説明は、第２の実施の形態と異なる部分について行う。
【００７１】
この実施の形態において、表示板２の中途部には、これと直交する方向に延び、略全面に亘って開口する矩形孔31を備える延長板30が設けてある。また延長板30先端には、略直角に屈曲形成された下ばね座32が設けてあり、該下ばね座32には、丸棒状をなす押し杆33が、延長板30と同向きに延びるように連設されている。
【００７２】
一方、表示板２を受容すべく下ハウジング1bの背面11に形成された凹所16には、前記延長板30の受容が可能な延長凹部34が下ハウジング1bの底面1eに向けて連設してある。この延長凹部34の基端近傍には、上ばね座35が突設されており、また前記底面1eには、延長凹部34の延長端に面して挿通孔36が貫通形成されている。
【００７３】
この実施の形態において表示板２は、図中に矢符により示す如く、押し杆33の先端を挿通孔36に通し、底面1eの外側に突出させ、また、延長部30を延長凹部34に受容せしめて取付けられる。このとき延長凹部34に突設された上ばね座35は、矩形孔31を通して突出し、延長部30先端の下ばね座32に対向せしめられる。
【００７４】
このように対向する下ばね座32と上ばね座35との間には、コイルばねを用いてなる付勢ばね40が介装されており、表示板２は、下ばね座32と上ばね座35との間に両者を離反させる向きに加わる付勢ばね40のばね力により付勢され、ガイド孔21，21の長さ範囲内にて生じるスライド移動域の下端位置（初期位置）に拘束されている。このような表示板２は、底面1eの外側に突出する押し杆33に、前記底面1eの内側に押し込む方向の力が加えることができ、付勢ばね40のばね力に抗して前記スライド移動域の上端位置（スライド位置）に達するまでスライド移動させることができる。
【００７５】
なお、表示板２に設けられた４組の表示パターン2a，2bは、前記初期位置にあるとき表示パターン2aが、前記スライド位置にあるとき表示パターン2bが、対応する窓孔13，13…から見通せるように形成してある。これらの表示パターン2a，2bの形成態様は、図９に示す第２の実施の形態におけると同様である。
【００７６】
図12及び図13は、図11に示す表示板２の取付け構造を備えるプロジェクタの使用状態を示す背面図である。図12は、正形態での使用状態を示しており、プロジェクタは、下ハウジング1bの底面1eの４隅に突設された脚座1c，1c…（２つのみ図示）により、机上面Ａに載置されている。一方図13は、逆形態での使用状態を示しており、プロジェクタは、下ハウジング1bの底面1eの中央に取り付けた支持脚1dにより天井面Ｂから吊支されている。
【００７７】
図12に示す正形態での使用状態において、底面1eから突出する押し杆33の先端は机上面Ａに当接することとなり、該押し杆33には、内部機器を含むハウジング１の自重により押し込み力が加えられ、表示板２は前記スライド位置にスライド移動せしめられ、接続端子12，12…に対応する窓孔13，13…の夫々から表示パターン2a，2a…が見通される表示がなされる。
【００７８】
これに対し図13に示す逆形態での使用状態においては、底面1eから突出する押し杆33の先端は天井面Ｂから離反しており、該押し杆33は、付勢ばね40のばね力により底面1eから突出した状態となり、表示板２は前記初期位置に復帰移動せしめられ、接続端子12，12…に対応する窓孔13，13…の夫々から表示パターン2b，2b…が見通される表示がなされる。      
【００７９】
以上の如き表示板２の移動により、正、逆のいずれの使用形態においても正しい文字パターンをユーザに視認させることが可能となる。またこの実施の形態においては、使用形態の変更に応じて表示板２が自動的にスライド移動して表示の変更がなされるから、何らの操作も要することなく適正な表示が実現される。更に、初期位置及びスライド位置にある表示板２は、押し杆33への作用力により拘束された状態にあり、夫々の表示状態が確実に維持される。
【００８０】
図14は、本発明の第４の実施の形態における表示板の取付け状態を示す斜視図である。本図は、前記図３と同様、下ハウジング1bの正面側から見た斜視図であり、この実施の形態において、下ハウジング1bの背面11に対する表示板２の支持構造は、表示板２に形成されたガイド孔21，21の形状、表示板２における表示パターンの形成態様、及びハウジング１の背面に形成された挿通孔14の形状が相違する点、更には、表示板２に位置決め突起23を備える位置決めバー22が設けられておらず、前記背面11に凹部19，19を備える位置決め片18が設けられていない点を除けば、図３に示す第１の実施の形態と同様であり、対応する構成部材に図３と同一の参照符号を付して説明を省略し、以下の説明は、第１の実施の形態と異なる部分について行う。
【００８１】
図14に示す如く表示板２には、背面11との対向面の上半部には、長手方向に並ぶ２つの表示パターン2a，2bと、これら夫々の下位置に並ぶ２つの表示パターン2c，2dとが、長手方向に所定の間隔を隔てて複数組（図においては４組）形成されている。また表示板２の下半部には、ガイド溝21，21が形成されている。これらのガイド溝21，21は、表示パターン2a，2b又は2c，2dの並設間隔に対応する長さを有する２本の横孔の中央部を、表示パターン2a，2c又は2b，2dの並設間隔に対応する長さを有する縦溝により連絡し、平面視において横倒しされたＨ形の形状を有している。
【００８２】
また表示板２は、ガイド孔21，21の並設域の一側に突設された操作つまみ20を備えており、このような表示板２の取付け面となるハウジング１の背面11には、窓孔13，13…の並設域の一側に開設された挿通孔14を備えている。この挿通孔14は、前記ガイド孔21，21に対応する縦横寸法を有するＨ形をなしており、横辺の両端部近傍には、上縁から下向きに凸となる位置決め凸部 14a,14aが設けられている。また表示板２に突設された操作つまみ20には、上辺の略中央部に下向きに凹となる位置決め凹部 20aが設けられている。
【００８３】
表示板２の取付けは、第１の実施の形態と同様に、ガイド孔21，21の夫々を前記背面11に突設されたガイド突起（図示せず）に嵌め合わせ、止めねじ24，24により抜け止めしてなされている。このとき表示板２に突設された操作つまみ20は、前記背面11に開設された挿通孔14に、図14中に矢符により示す如く挿通されてハウジング１の外側に突出する。
【００８４】
図15は、この実施の形態において用いられる表示板２の正面図であり、表示パターン2a〜2dの形成例が示されている。本図に示す如く表示パターン2a，2bは、英語表記された同一の文字パターンを天地を逆にして形成してなり、表示パターン2c，2dは、日本語表記された同一の文字パターンを天地を逆にして形成してなる。
【００８５】
以上の如く表示パターン2a〜2dは、これらの並設間隔に応じて前述の如く形成されたガイド孔21，21に沿って生じる表示板２のスライド移動によって位置を変え、背面11に開設された表示孔13，13…から選択的に見通すことができ、４種の異なる表示を実現することができる。この場合、前述した正形態及び逆形態の夫々に適した表示が、英語及び日本語表記にてなされるから、海外及び国内出荷に共通の構成にて対応することが可能となる。      
【００８６】
以上の表示変更のための表示板２のスライド移動は、挿通孔14を経て突出する操作つまみ20の操作によりハウジング１の外部から行わせることができる。図16は、操作つまみ20の動作説明図である。操作つまみ20が挿通される挿通孔14は、ガイド孔21，21に対応するＨ形の形状を有しており、この挿通孔14から突出する操作つまみ20は、図中に矢符により示す如く、２本の横孔に沿った横移動と、１本の縦孔に沿った縦移動との組み合わせにより、夫々の横孔の両端部に設定された４か所の切り換え位置に移動させることができ、これらの切り換え位置において、前記表示パターン2a〜2dのいずれかの表示がなされる。
【００８７】
挿通孔14の位置決め凸部 14a,14a…は、前記切り換え位置の夫々に対応するように設けてあり、これらは、各切り換え位置に移動した操作つまみ20の位置決め凹部 20aに図示の如く係合し、該操作つまみ20を介して表示板20を位置決めする位置決め手段としての作用をなす。なお、位置決め凹部 20aが設けられた操作つまみ20の上面は、図示の如き湾曲面としてあり、この湾曲面による案内作用により、前記係合及び係合の解除が確実になされるように構成してある。
【００８８】
このように操作つまみ20、及びこれの挿通孔14を、夫々のスライド位置にて表示板２を位置決めする位置決め手段として兼用したから、第１の実施の形態に示すような専用の位置決め手段が不要となり、簡素な構成により表示変更を行わせることができる。また挿通孔14及び操作つまみ20は、表示板２をスライド案内する案内手段を兼用することができ、例えば、ガイド溝21，21の一方を省略して構成の簡素化を図ることも可能である。
【００８９】
なお表示パターン2a〜2dは、図15に例示した文字パターンの組み合わせに限らず種々の組み合わせにて形成することができ、また文字パターンに限らず、図形パターン等の適宜のパターン表示が可能である。更に、２種の表示パターン2a，2bを備える第１〜第３の実施の形態においても、夫々に例示した以外の適宜のパターンを採用し得ることは言うまでもない。
【００９０】
以上の如き４種の表示変更は、２枚の表示板２，２…を用いて実現することもできる。図17及び図18は、２枚の表示板２，２を用いてなされる表示変更動作の説明図である。図示の如く、一方の表示板２には、２つの表示パターン2a，2bが横並びに形成されており、この表示板２は、横長のガイド溝21とこれに嵌合するガイド突起17との相乗作用により、表示パターン2a，2bの並設方向に横スライド可能に構成してある。また他方の表示板２には、２つの表示パターン2c，2dが縦並びに形成されており、この表示板２は、縦長のガイド溝21とこれに嵌合するガイド突起17との相乗作用により、横スライドする表示板２の前位置において、表示パターン2c，2dの並設方向に縦スライド可能に構成してある。
【００９１】
図17は、縦スライドする表示板２をスライド域の最上位置に移動させた状態を示しており、この状態で他方の表示板２を横スライドさせた場合、図17（ａ）に示す如く、表示パターン2aが視認可能な状態と、図17（ｂ）に示す如く、表示パターン2bが視認可能な状態とを選択することができる。なお、視認可能な表示パターンは、図中にハッチングを施して示してある。
【００９２】
図18（ａ），（ｂ）は、縦スライドする表示板２をスライド域の中間位置及び最下位置にスライド移動させた状態を夫々示している。縦スライドする表示板２は、横スライドする表示板２の前位置にあるから、前記中間位置及び最下位置に移動した場合、横スライドする表示板２の表示パターン2a，2bの形成域は、縦スライドする表示板２の後ろに隠された状態となり、図18（ａ）に示す中間位置においては、前位置にある表示パターン2cが視認され、図18（ｂ）に示す最下位置においては、前位置にある表示パターン2dが視認されることとなる。
【００９３】
なお以上の実施の形態においては、２種又は４種の表示変更がなされる場合について説明したが、３種、又は５種以上の表示変更がなされるように構成することも可能である。また以上の実施の形態においては、プロジェクタへの適用例について説明したが、本発明は、ハウジングの一面に各種の表示のための表示部を備える電気機器全般に適用可能であることは言うまでもない。
【図面の簡単な説明】
【００９４】
【図１】本発明に係る電気機器としてのプロジェクタの正面側からの外観斜視図である。
【図２】本発明に係る電気機器としてのプロジェクタの背面側からの外観斜視図である。
【図３】表示板の取付け状態を示す下ハウジングの背面側からの斜視図である。
【図４】表示板の取付け状態を示す下ハウジングの正面側からの斜視図である。
【図５】表示板の正面図である。
【図６】図５に示す表示板を備えるプロジェクタの使用状態を示す背面図である。
【図７】図５に示す表示板を備えるプロジェクタの使用状態を示す背面図である。
【図８】本発明の第２の実施の形態における表示板の取付け状態を示す斜視図である。
【図９】第２の実施の形態において用いられる表示板の正面図である。
【図１０】第２実施の形態において得られる表示の内容を示す説明図である。
【図１１】本発明の第３の実施の形態における表示板の取付け状態を示す斜視図である。
【図１２】図11に示す表示板の取付け構造を備えるプロジェクタの使用状態を示す背面図である。
【図１３】図11に示す表示板の取付け構造を備えるプロジェクタの使用状態を示す背面図である。
【図１４】本発明の第４の実施の形態における表示板の取付け状態を示す斜視図である。
【図１５】第４の実施の形態において用いられる表示板の正面図である。
【図１６】操作つまみの動作説明図である。
【図１７】２枚の表示板を用いてなされる表示変更動作の説明図である。
【図１８】２枚の表示板を用いてなされる表示変更動作の説明図である。
【符号の説明】
【００９５】
１    ハウジング
２    表示板
2a〜2d    表示パターン
11    背面
13    窓孔
14    挿通孔
16    凹所
17    ガイド突起
18    位置決め片
20    操作つまみ
21    ガイド孔
22    位置決めバー
33    押し杆
40    付勢ばね
【図１】
2006222300.tif 000003
【図２】
2006222300.tif 000004
【図３】
2006222300.tif 000005
【図４】
2006222300.tif 000006
【図５】
2006222300.tif 000007
【図６】
2006222300.tif 000008
【図７】
2006222300.tif 000009
【図８】
2006222300.tif 000010
【図９】
2006222300.tif 000011
【図１０】
2006222300.tif 000012
【図１１】
2006222300.tif 000013
【図１２】
2006222300.tif 000014
【図１３】
2006222300.tif 000015
【図１４】
2006222300.tif 000016
【図１５】
2006222300.tif 000017
【図１６】
2006222300.tif 000018
【図１７】
2006222300.tif 000019
【図１８】
2006222300.tif 000020